(57)【要約】【課題】粉体が漏れ出してしまうことを抑制することができ、容易に開封することができる粉体用包装袋を簡易な構造で提供する。【解決手段】筒状をした袋本体における一端側の開口端部を折り込むことにより形成した折封部に化粧紙を貼着して形成した開封側底面を備える粉体包装用袋であって、開封側底面は、正面もしくは背面にそれぞれ連続する二つの長辺と、右側面もしくは左側面にそれぞれ連続する二つの短辺とを有する細長矩形状をし、化粧紙は、開封側底面の短辺の長さよりも大きく形成され、折封部の上面に連続して一体的に袋体の正面及び背面の一部を覆うように貼着されている。この化粧紙は、開口端部の折り込み方に応じて、折封部の上面に連続して一体的に袋体の正面もしくは背面の何れか一方の一部を覆うように貼着されたものとしても良い。【選択図】図１
2019189252.tif 000002
【特許請求の範囲】
【請求項１】
筒状をした袋本体における一端側の開口端部を折り込むことにより形成した折封部に化粧紙を貼着して形成した開封側底面を備える袋体であって、
前記開封側底面は、正面もしくは背面にそれぞれ連続する二つの長辺と、右側面もしくは左側面にそれぞれ連続する二つの短辺とを有する細長矩形状をし、
前記化粧紙は、前記開封側底面の短辺の長さよりも大きく形成され、前記折封部の上面に連続して一体的に袋体の正面及び／又は背面の一部を覆うように貼着されている、
ことを特徴とする粉体包装用袋。
【請求項２】
前記化粧紙は、前記折封部が正面に連続する開口端部を最後に折り込むことにより形成したものである場合、前記折封部の上面に連続して袋体の背面の一部を一体的に覆うように貼着され、前記折封部が背面に連続する開口端部を最後に折り込むことにより形成したものである場合、前記折封部の上面に連続して袋体の正面の一部を一体的に覆うように貼着されている、
ことを特徴とする請求項１に記載の粉体包装用袋。
【請求項３】
前記化粧紙を破断するのに十分な強度を有する帯状をしたカットテープが、前記化粧紙の長手方向に沿ってその内面に装着されていることを特徴とする請求項１又は２に記載の粉体包装用袋。
【請求項４】
前記カットテープに沿って所定幅で、前記化粧紙が前記折封部の上面に接着されていない非接合領域、もしくは前記化粧紙の前記折封部の上面に対する接着力が他の領域に比べて小さい弱接合領域が設けられていることを特徴とする請求項３に記載の粉体包装用袋。
【請求項５】
前記袋本体の内部に、別途袋体を備える二重包装袋体構造であることを特徴とする請求項１乃至４の何れか１項に記載の粉体包装用袋。
【発明の詳細な説明】
【技術分野】
【０００１】
本願発明は、小麦粉や蕎麦粉、コーンスターチといった穀粉や、セメント、カーボンブラックといった紛体等を包装するときに使用される粉体用包装袋に係り、詳しくは、筒状をした袋本体の開口を折り込んで形成した折封部に貼着した化粧紙の周縁部から粉体が漏れ出してしまうことを抑制するように改良した技術に関する。
【背景技術】
【０００２】
粉体用包装袋として、筒状をした袋本体における少なくとも一端側の開口端部を折り込むことにより形成した折封部に化粧紙を貼着して底面を形成したものが知られている。すなわち、筒状をした袋本体における開口端部を四方より折り込んで折封部を形成し、さらにその上面に、折封部と同じもしくは少し小さい大きさをした化粧紙を貼着することで、細長矩形状をした底面を形成するように封止されている。
このような粉体用包装袋では、底面に貼着されている化粧紙を破断した後、容易に折封部の開口ができるようにするため、上述のように非常に簡易な封止構造となっている。
【０００３】
ところが、袋本体の開口端部は単に折り込まれたに過ぎないため、折封部の上面に化粧紙を貼着して封止しても、粉体用包装袋の移動や積み重ね等を伴う作業中に、化粧紙の周縁部から粉体が漏れ出してしまうことが多々生じていた。すなわち、紛体等を包装した粉体包装用紙袋は、その底面が天地方向を向くように立てておくより、正面や背面が天地方向を向くように寝かせておくことが一般的である。ゆえに、粉体包装用紙袋を寝かせる際の衝撃や振動によって、折り込まれた袋本体の開口端部（折封部）より粉体が漏れ出し、さらに化粧紙の周縁部からも漏れ出してしまうものとなってしまう。
【０００４】
また、化粧紙の貼着には、酢酸ビニル樹脂系接着剤や塩化ビニル樹脂系接着剤、でん粉系接着剤、もしくはホットメルト型接着剤が使用された圧着加工が一般的である。ところが折封部の上面は、開口端部の折り込み時に発生することのある皺や、折り込まれた開口端部の重なり厚みによって凹凸が生じていることから、化粧紙の上からの圧着が不均一となり易く、接着安定性に欠けて隙間が生じることがある。そのため、粉体包装用紙袋を寝かせる際に、この要因も相俟って化粧紙の周縁部より粉体が漏れ出していた。また、袋本体や化粧紙に用いる材料によっては、塗布した接着剤によりよれて凹凸が生じることもあり、これも圧着が不均一となる要因になっている。
【０００５】
また、使用時に開封側となる底面における折封部においては、折り重なる袋本体の開口端部を剥離性の高い接着剤を用いて貼着することがある。つまり、使用時に開封側となる底面に接着強度の高い接着剤を用いた場合、開封の際に折封部の表面部分が薄く剥がれて紙粉や破片が異物として紛体等の内容物に混入するおそれがある。そのため、異物混入のおそれを回避するため、使用時に開封側となる底面における開口端部の貼着には剥離性の高い接着剤が用いられている。
【０００６】
このような剥離性の高い接着剤は、開封が容易に行えるようにすることを考慮して用いられることもある。ところが、使用時に開封側となる底面における開口端部の貼着に剥離性の高い接着剤を用いた場合、粉体包装用紙袋の運搬などにおいて加わる衝撃や振動によって、折り重なって貼着された開口端部が部分的に剥離し、隙間が生じて粉体が漏れ出し易いものとなってしまうおそれがある。
【０００７】
さらに、化粧紙は折封部と同じもしくは少し小さい大きさをしたものであることから、粉体包装用紙袋の落下や運搬時の引っ掛け、ぶつけ等によって、折封部の周囲が破袋して粉体が漏れ出してしまうことがある。つまり、折封部の周囲は、袋本体の開口端部を折り込んだ際の折筋部分であって、衝撃等が加わると折筋に沿って破袋し易いものとなっている。
【０００８】
そこで、化粧紙の周縁部より粉体が漏れ出さないことや、折封部の周囲が破袋しないように工夫が施された粉体用包装袋が幾つか提案されている（たとえば、特許文献１乃至３を参照）。
しかしながら、特許文献１乃至３において開示された包装袋は何れも、化粧紙の左右両端側の長さを底面より大きく形成し、この部分を左右の側面にそれぞれ貼着するものであるため、化粧紙を破断する作業において長くした部分が却って邪魔となり、開封作業が煩わしいものとなってしまう。
【０００９】
すなわち、粉体用包装袋の開封作業においては左右の側面側より化粧紙を破断するのが一般的である。ところが、特許文献１乃至３のように、化粧紙が底面を超えて左右の側面にそれぞれ貼着されたものであると、左右の側面に貼着された部分の化粧紙を剥がしてからでないと底面に貼着された化粧紙の破断が円滑に行えず、開封作業において手間の掛かるものであった。
【００１０】
また、特許文献２においては、化粧紙が底面の四囲より大きく形成されたものであるので、底面より大きくした化粧紙の角部分が剥がれ易く、邪魔になるおそれがある。つまり、粉体用包装袋の内部に粉体などを充填して立体的にすると、貼着した化粧紙の角部分が剥がれてしまうおそれが多分にあり、剥がれた化粧紙の角部分は外方へ突出することで、粉体用包装袋の移動や積み重ね等を伴う作業中に周囲の機械や器具に誤って引っ掛かってしまうことがある。そうすると、意図せず化粧紙が剥がされ、粉体が漏れ出してしまうおそれがある。
さらに、化粧紙において多くの面積を必要とするので、材料費などの生産コストも割高となる問題があった。
【先行技術文献】
【特許文献】
【００１１】
【特許文献１】実用新案登録第３０３０１８１号公報
【特許文献２】実用新案登録第３０５６７２４号公報
【特許文献３】実用新案登録第３０５９８０４号公報
【発明の概要】
【発明が解決しようとする課題】
【００１２】
本発明は、上記事情に鑑みて成されたものであり、折封部に貼着した化粧紙の周縁部から粉体が漏れ出してしまうことを抑制すると共に、折封部の周囲が破袋しないように工夫が施され、かつ、開封作業に支障がないようにした粉体用包装袋を、簡易な構造で安価に提供することを目的とする。
【課題を解決するための手段】
【００１３】
本発明の粉体包装用袋は、筒状をした袋本体における一端側の開口端部を折り込むことにより形成した折封部に化粧紙を貼着して形成した開封側底面を備える袋体であって、  前記開封側底面は、正面もしくは背面にそれぞれ連続する二つの長辺と、右側面もしくは左側面にそれぞれ連続する二つの短辺とを有する細長矩形状をし、前記化粧紙は、前記開封側底面の短辺の長さよりも大きく形成され、前記折封部の上面に連続して一体的に袋体の正面及び／又は背面の一部を覆うように貼着されていることを特徴とする。
【００１４】
本発明において化粧紙は、折封部が正面に連続する開口端部を最後に折り込むことにより形成したものである場合、折封部の上面に連続して袋体の背面の一部を一体的に覆うように貼着されたものとしても良く、また、折封部が背面に連続する開口端部を最後に折り込むことにより形成したものである場合、折封部の上面に連続して袋体の正面の一部を一体的に覆うように貼着されたものとしても良い。
【００１５】
また、本発明において化粧紙は、当該化粧紙を破断するのに十分な強度を有する帯状をしたカットテープが、その内面に装着されているものとすると望ましい。カットテープの装着位置は特に限定されるものではなく、開封側底面において化粧紙を破断した後、露呈する折封部の開口がし易いように、最後に折り込まれた袋本体の開口端部に沿って近傍に設けると良い。ゆえに、たとえば、正面もしくは背面にそれぞれ連続する二つの長辺と、右側面もしくは左側面にそれぞれ連続する二つの短辺とを有する細長矩形状をした開封側底面に化粧紙が貼着される場合、カットテープは化粧紙の長手方向に沿って装着されたものとすることができる。
【００１６】
また、本発明においてカットテープが内面に装着された化粧紙を折封部の上面に貼着する場合、カットテープに沿って所定幅で、化粧紙が折封部の上面に接着されていない（すなわち、化粧紙の内面と折封部の上面とが接着されていない）非接合領域、もしくは化粧紙の折封部の上面に対する接着力が他の領域に比べて小さい弱接合領域が設けるものとすると望ましい。
【００１７】
さらに、本発明の粉体包装用袋は、袋本体の内部に、別途袋体を備える二重包装袋体構造とすることもできる。
【発明の効果】
【００１８】
本発明の粉体包装用袋は、化粧紙が、開封側底面の短辺の長さよりも大きく形成され、折封部の上面に連続して一体的に袋体の正面及び／又は背面の一部を覆うように貼着されている。ゆえに、粉体の漏れ出し方向が化粧紙によって閉塞され、粉体用包装袋を寝かせる際に衝撃や振動が加わったとしても、粉体が外部に漏れ出してしまうことが抑制されるものとなる。
また、折封部への化粧紙の貼着において、折封部の上面に、開口端部の折り込み時に発生することのある皺や、折り込まれた開口端部の重なり厚みによる凹凸によって隙間が生じてしまった場合であっても、折封部の上面に連続して一体的に貼着した化粧紙によって隙間が閉塞されることとなるので、粉体が漏れ出してしまうことを抑制することができるものとなる。
【００１９】
また、粉体包装用袋の正面側や背面側の折筋部分が化粧紙によって覆われ補強されたものとなっているので、この折筋部分に衝撃等が加わったとしても折筋に沿って破袋してしまうことが抑制されるものとなる。しかも、粉体包装用袋の右側面側や左側面側は化粧紙によって覆われていないので、化粧紙を破断する開封作業を容易に行うことができる。
さらに、化粧紙は従来に比して底面の正面側や背面側において大きく形成する必要はあるが、底面の四囲全てにおいて大きく形成する場合に比して多くの面積を必要としないので、材料費などの生産コストが割高となることもない。
【００２０】
したがって、折封部に貼着した化粧紙の周縁部から粉体が漏れ出してしまうことを抑制すると共に、折封部の周囲が破袋しないように工夫が施され、かつ、開封作業に支障がないようにした粉体用包装袋を、簡易な構造で安価に提供することができる。
【図面の簡単な説明】
【００２１】
【図１】本発明に係る粉体包装用袋の開封側底面を示す部分拡大斜視図である。
【図２】本発明に係る粉体包装用袋の製造方法を説明する（Ａ）筒状をした袋本体の斜視図、（Ｂ）平面的に折り潰した袋本体の一端側において側面となる両側の開口端部を内側へ折り込んだ状態を示す平面図、（Ｃ）背面側の開口端部を側面側の折込み部と重なるように内側へ折り込んだ状態を示す平面図である。
【図３】本発明に係る粉体包装用袋の製造方法を説明する（Ａ）正面側の開口端部を側面側の折込み部及び背面側の折込み部と重なるように折り込んで折封部を形成した状態を示す平面図、（Ｂ）折封部の上面を覆うように化粧紙を貼着する状態を示す平面図である。
【図４】本発明に係る粉体包装用袋の製造方法を説明する（Ａ）折封部の上面に化粧紙を貼着して開封側底面を形成した状態を示す平面図、（Ｂ）他端側の開口端部を折り込みながら充填口を設けた状態を示す平面図、（Ｃ）充填口を覆うように折封部の上面に化粧紙を貼着して充填側底面を形成した状態を示す平面図である。
【図５】本発明に係る粉体包装用袋において開封側底面に化粧紙を貼着する状態を模式的に説明する（Ａ）化粧紙の貼着前の折封部における長辺側中央縦断面部分拡大図、（Ｂ）化粧紙の貼着後の開封側底面における長辺側中央縦断面部分拡大図である。
【図６】本発明に係る粉体包装用袋において開封側底面に化粧紙を貼着する他の状態を模式的に説明する（Ａ）折封部における長辺側中央縦断面部分拡大図、（Ｂ）開封側底面における長辺側中央縦断面部分拡大図である。
【図７】本発明に係る粉体包装用袋において開封側底面に化粧紙を貼着する他の状態を模式的に説明する（Ａ）折封部における長辺側中央縦断面部分拡大図、（Ｂ）開封側底面における長辺側中央縦断面部分拡大図である。
【図８】本発明に係る粉体包装用袋において開封側底面に貼着した化粧紙の接合状態を模式的に説明する平面図である。
【発明を実施するための形態】
【００２２】
以下、本発明に係る粉体包装用袋の実施の形態の一例について、図面に基づき説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２３】
図１に示すように、本実施の形態における粉体包装用袋１０は、筒状をした袋本体１における一端側の開口端部を折り込むことにより形成した折封部５に化粧紙２を貼着して形成した開封側底面１５を備える袋体である（以下、粉体包装用袋を単に「袋体」という場合がある。）。
【００２４】
粉体包装用袋１０の製造に用いられる袋本体１は、粉体などの被包装体となる物品を包装（収容）することが可能な柔軟な薄厚のシート体であって、たとえば、クラフト紙や合成樹脂フィルム、又はこれら紙材と合成樹脂材とを組み合わせたもの（具体的には、クラフト紙などにポリオレフィン系樹脂をラミネートしたもの）など、強度が高い素材とすることができる。
【００２５】
本実施の形態における袋体１０は、シート状をしたクラフト紙などを筒状に折ってのり付けした袋本体１における一端側及び他端側の各開口端部に底面を形成した、いわゆる両底貼りの紙袋とすることができ、この両底面に補強紙を兼ねる化粧紙２を貼着するものである。
【００２６】
また、袋体１０は、強度が確保できれば単数の紙で構成したもので良いが、強度を確保するため、粉体等を収容する内袋と、内袋を覆う外袋とを具えた構造の二重包装袋体としても良い。このような二重包装袋体としては、たとえば、内袋を密性の高い合成樹脂製とし、外袋を強度が高いクラフト紙などの紙製とすることができる。また、合成樹脂製の内袋としては、たとえば、ポリエチレン、ポリプロピレン、ポリエステルなどの熱可塑性樹脂フィルムを用いるものとすることができる。
【００２７】
なお、本発明における二重包装袋体は、上述のように内袋や外袋をそれぞれ単層とするもののほか、内袋及び外袋をそれぞれ複数の層から構成したものとしても良い。ゆえに、たとえば、内袋として、熱可塑性樹脂フィルムとアルミニウム箔とを積層したものとしても良い。
【００２８】
折封部５は、たとえば、袋本体１における開口端部を四方より折り込むことにより形成されるものであって、まず、左右の側面１２，１４にそれぞれ連続する開口端部を重ならないように適宜間隔を設けて折り込み、次いで、正面１１もしくは背面１３の何れかに連続する開口端部を折り込み、その後、残りの開口端部を先に折り込んだ正面１１もしくは背面１３に連続する開口端部に一部が重なるように折り込むことで形成することができる。
【００２９】
上述のように折り込まれた折封部５、及びこの折封部５に化粧紙２を貼着することで形成される開封側底面１５は、正面もしくは背面にそれぞれ連続する二つの長辺と、右側面もしくは左側面にそれぞれ連続する二つの短辺とを有する細長矩形状をしたものである。
【００３０】
化粧紙２は、袋体１０と同様に柔軟な薄厚のシート体であって、たとえば、クラフト紙などの紙製とすることができる。
この化粧紙２は、開封側底面１５の短辺の長さよりも大きく形成され、折封部５の上面に連続して一体的に袋体１０の正面１１及び／又は背面１３の一部を覆うように貼着されるものである。
【００３１】
すなわち、化粧紙２は、開封側底面１５の長辺の長さと略等しい大きさに形成されており、折封部５と袋体１０の正面１１側や背面１３側における折筋部分を含めて正面１１や背面１３の一部を一体的に覆うように貼着されるものであるが、袋体１０の左側面１２側や右側面１４側における折筋部分を含めて左側面１２や右側面１４の一部を覆うようには貼着されない。
この化粧紙２の内面には、たとえば、酢酸ビニル樹脂系接着剤が予め全面あるいは部分的に塗布されている。
【００３２】
また、化粧紙２は、内面にカットテープ３が装着されているものとすると良い。このカットテープ３は、化粧紙２を開封するための手段であって、化粧紙２を破断するのに十分な強度を有する帯状体である。すなわち、カットテープ３は、化粧紙２より強度の大きい材料を用いて形成されている。
【００３３】
このようなカットテープ３としては、たとえば、ナイロン糸や、金属製のワイヤといった幅の小さい紐状（線状）体とすることも考えられる。しかしながら、紐状をしたものであると、化粧紙２に対する接触面積が少なく接着剤や加熱溶着等による装着強度が劣り、カットテープ３を引っ張る開封作業中に化粧紙２から剥離して抜け落ちてしまうおそれがある。
ゆえに、カットテープ３は帯状体とすることで、化粧紙２に対する接触面積が大きく、装着強度が増したものとなり、カットテープ３を引っ張る開封作業中にカットテープ３が化粧紙２から剥離してしまうことがなく、確実に開封作業を行えるものとすることができる。
【００３４】
また、カットテープ３は、たとえば、長さ方向に向けて一軸延伸処理が施された所定の合成樹脂材料によって形成され、これによって長さ方向に向かう引張り応力が幅方向に向かう引張り応力より大きくされてちぎれ難くなっているものとすることができる。
【００３５】
そして、カットテープ３は、図１に示すように、たとえば、折封部５の上面と接合される化粧紙２の長手方向に沿ってその内面に接着剤等を用いて装着されたものとすることができる。
なお、図中の符合３１は、カットテープ３による開封作業中の際に引っ張る摘まみ部である。
【００３６】
次に、本実施の形態に係る粉体包装用袋１０の製造方法の一例を、図２乃至図４に基づいて説明する。
まず、図２（Ａ）に示すように、矩形状をしたクラフト紙などシート材において対向する辺端同士を接合し、一端側１ａと他端側１ｂとが開口する筒状をした袋本体１を形成する。
この袋本体１は、平坦となるように平面的に折り潰される。これにより袋体１０とした際の正面１１側と背面１３側が形成される。
【００３７】
次いで、図２（Ｂ）に示すように、折り畳まれた袋本体１における一端側１ａの開口端部において、袋体１０とした際の側面１２，１４となる両側の開口端部を互いに内側へ折り込む。すなわち、正面１１側又は背面１３側の開口端部の一方を外側へ折り返すように開き、側面１２，１４となる両側の開口端部１２ａ，１４ａを互いに内側へ折り込むことで折込み部５２ａ，５４ａを形成する。
図において、正面１１側の開口端部１１ａを開いて折り返すことで、両側の開口端部１２ａ，１４ａを内側へ折り込んで折込み部５２ａ，５４ａを形成した状態が示されている。
【００３８】
引き続き、図２（Ｃ）に示すように、背面１３側の開口端部１３ａを、先に折り込んだ側面１２，１４側の折込み部５２ａ，５４ａと重なるように内側へ折り込む。すなわち、背面１３側の開口端部１３ａを内側へ折り込んで折込み部５３ａを形成する。この際、背面１３側の開口端部１３ａと、先に折り込んだ側面１２，１４側の折込み部５２ａ，５４ａとが重なる部分には、開封が容易に行えるようにすることを考慮して、予め剥離性の高い接着剤が塗布されたものとなっている。
【００３９】
さらに、図３（Ａ）に示すように、正面１１側の開口端部１１ａを、先に折り込んだ側面１２，１４側の折込み部５２ａ，５４ａ及び背面１３側の折込み部５３ａと重なるように折り込む。すなわち、正面１１側の開口端部１１ａを内側へ折り込んで折込み部５１ａを形成する。この際も、正面１１側の開口端部１１ａと、先に折り込んだ側面１２，１４側の折込み部５２ａ，５４ａ及び背面１３側の折込み部５３ａとが重なる部分には、開封が容易に行えるようにすることを考慮して、予め剥離性の高い接着剤が塗布されたものとなっている。
【００４０】
これにより、一端側１ａの開口端部が閉塞され、平面六角形状の折封部５が形成されるものとなる。なお、背面１３側の折込み部５３ａと正面１１側の折込み部５１ａとは、開口端部近傍が重なったものとなっている。
【００４１】
そして、図３（Ｂ）に示すように、内面に予め接着剤が塗布された化粧紙２を折封部５の上面に貼着する。ここで、化粧紙２の短辺の長さｄ２は、開封側底面１５となる折封部５における短辺の長さｄ１よりも大きく形成されたものとなっている。
ゆえに、化粧紙２の貼着は、図５（Ａ）に示すように、折封部５の上面に連続して袋体の正面１１と背面１３の一部を覆うように、化粧紙２の短手方向の両側端部２ａ，２ａをそれぞれ折り返す。
【００４２】
なお、化粧紙２の内面に予め塗布される接着剤は、折封部５の上面と化粧紙２の内面とが接合することができるものであれば特に限定されるものではなく、たとえば、酢酸ビニル系の接着剤や塩化ビニル樹脂系接着剤、でん粉系接着剤を用いることができる。
【００４３】
また、化粧紙２の内面には、上述のようにカットテープ３が装着されているものが好ましく、特に、図６に示すように、カットテープ３に沿って所定幅で、化粧紙２が折封部５の上面に接着されていない（すなわち、化粧紙２の内面と折封部５の上面とが接着されていない）非接合領域β、もしくは化粧紙２の折封部５の上面に対する接着力が他の領域に比べて小さい弱接合領域βが設けられていると望ましい。
図６において、化粧紙２の内面と折封部５の上面とが接着されている接合領域αが斜線にて示されると共に、カットテープ３に沿って所定の幅ｄ３で非接合領域（弱接合領域）βが設けられている状態が示されている。
【００４４】
そして、化粧紙２を貼着した後、その上から圧着することで、図４（Ａ）に示すように、折封部５の上面に化粧紙２が貼着されて開封側底面１５が形成される。
化粧紙２の貼着では、図５（Ｂ）に示すように、化粧紙２の両側端部２ａ，２ａは袋体の正面１１側や背面１３側に向かって折り返され、折り返し部２１を形成するが、折り返し部２１の長さが短いと折り返しがし難く、袋体１０の正面１１や背面１３と化粧紙２との間に隙間空いたものとなってしまう。ゆえに、化粧紙２は、たとえば、１５ｍｍ以上の折り返し部２１が形成されるように短辺の長さｄ２を、折封部５（開封側底面１５）の短辺の長さｄ１よりも大きく形成すると望ましい。
【００４５】
また、化粧紙２は、何れかの側端部２ａのみを折り返して折り返し部２１を形成するものとしても良い。
具体的には、図７に示すように、折封部５が正面１１に連続する開口端部１１ａを最後に折り込むことにより形成したものである場合、折封部５の上面に連続して袋体１の背面１３の一部を一体的に覆うように化粧紙２を貼着して折り返し部２１を形成する。すなわち、最後に折り込んだ開口端部１１ａは単に折り込まれたに過ぎず、重なり合った開口端部１１ａ，１３ａは隙間を有しているため、図７（Ａ）中の点線矢印で示すように、粉体包装用紙袋１０を寝かせる際の衝撃や振動によってこの隙間より粉体が漏れ出してしまうおそれがある。ゆえに、隙間が開口する側を化粧紙２で覆うことで、より少ない量で効率良く粉体が漏れ出してしまうことを抑制することができる。
【００４６】
一方、図８に示すように、折封部５が背面１３に連続する開口端部１３ａを最後に折り込むことにより形成したものである場合、折封部５の上面に連続して袋体１の正面１１の一部を一体的に覆うように化粧紙２を貼着して折り返し部２１を形成する。すなわち、最後に折り込んだ開口端部１３ａも、上述の開口端部１１ａと同様に単に折り込まれたに過ぎないため、やはり、図８（Ａ）中の点線矢印で示すように、開口端部１１ａ，１３ａの隙間より粉体が漏れ出してしまうおそれがある。ゆえに、隙間が開口する側を化粧紙２で覆うことで、より少ない量で効率良く粉体が漏れ出してしまうことを抑制することができる。
【００４７】
また、化粧紙２の何れか一方の側端部２ａのみを折り返して折り返し部２１を形成するようにした場合、化粧紙２を貼着した後の上からの圧着が効果的に行えるようにすることもできる。
すなわち、図５（Ｂ）に示すように、化粧紙２の両側端部２ａ，２ａを折り返す場合、一方の折り返し部２１側では、上から化粧紙２と、開口端部１３ａと、折り返した開口端部１３ａと、化粧紙２（折り返し部２１）が重なった４層であり、他方の折り返し部２１側では、上から化粧紙２と、開口端部１１ａと、折り返した開口端部１１ａと、化粧紙２（折り返し部２１）と、袋体１０の正面１１及び背面１３が重なった６層である。
【００４８】
この状態で上から化粧紙２を押圧すると、一方の折り返し部２１側と他方の折り返し部２１側とで２層分の厚み段差があることから、化粧紙２を均一に押圧することが出来ず、化粧紙２の内面と折封部５の上面との接着にムラが生じたものとなってしまう。そうすると、粉体が漏れ出してしまうおそれが一層高まるものとなる。
【００４９】
しかしながら、図７（Ｂ）に示すように、化粧紙２の一方の側端部２ａだけを折り返す場合、一方の折り返し部２１側では、上から化粧紙２と、開口端部１３ａと、折り返した開口端部１３ａと、化粧紙２（折り返し部２１）が重なった４層であるが、他方の折り返し部２１側では、上から化粧紙２と、開口端部１１ａと、折り返した開口端部１１ａと、袋体１０の正面１１及び背面１３が重なった５層となり、１層分の厚み段差が解消されることとなる。
【００５０】
ゆえに、この状態で上から化粧紙２を押圧すれば、化粧紙２をより均一に押圧することが可能となり、化粧紙２の内面と折封部５の上面との接着にムラが生じてしまうおそれを少なくすることができ、粉体が漏れ出してしまうおそれを一層抑制することができるものとなる。
したがって、化粧紙２の側端部２ａの折り返しは、できるだけ重なり段差が生じないように形成することが望ましい。しかも、化粧紙２の何れか一方の側端部２ａのみを折り返すようにすることで、化粧紙２の短辺の長さｄ２を小さくし、材料費の生産コストを抑えることもできる。
【００５１】
そして、図４（Ｂ）に示すように、袋本体１における他端側１ｂの開口端部においても一端側１ａと同様に折り込んで閉塞するが、この際、背面側１３の開口端部１３ｂと正面側１１の開口端部１１ｂとが折り込まれる際に、充填口４を設けるものとしても良い。充填口４は、後から化粧紙２を貼着した際に、折込み部同士の重なり隙間が閉塞しないように保護部材を挟み込むものとしても良いし、予め筒状に形成された弁（筒状弁）を配置するものとしても良い。
【００５２】
その後、図４（Ｃ）に示すように、他端側１ｂの折封部６の上面を覆うように化粧紙２を貼着することにより、充填側底面１６を形成する。この際、化粧紙２は折封部６の上面に完全に貼着されず、充填口４が閉塞されないように一部を残して貼着されたものとなっている。
なお、他端１ｂ側の折封部の上面に貼着する化粧紙２は、一端側１ａと同様に、充填側底面１６の短辺の長さよりも大きく形成されたものであっても良いし、通常の大きさ（すなわち、充填側底面１６の短辺の長さと等しい大きさ）に形成されたものでも良い。
【００５３】
この袋体１０は、充填側底面１６の充填口４に充填機の充填ノズルを挿入して粉体などの内容物を本発明の袋体１０内に充填した後、化粧紙２を完全に貼着して充填口４（重なり隙間や弁などの開口部）を閉塞するようにして用いられる。
そして、使用時に開封側底面１５に貼着された化粧紙２に設けられたカットテープ３の摘み部３１を持って長手方向に引っ張ることで、化粧紙２が破断され折封部５を開口することができる。
【００５４】
以上のように本発明によれば、折封部５に貼着した化粧紙２の周縁部から粉体が漏れ出してしまうことを抑制するだけでなく、粉体包装用紙袋１０の落下や運搬時の引っ掛け、ぶつけ等によって、折封部５の周囲が破袋してしまわないように工夫が施され、かつ、開封作業に支障がないようにした粉体用包装袋１０を提供することができる。しかも、本発明に係る粉体用包装袋１０は、従来の製袋方法と殆ど変わらずに製造することができ、かつ、材料費などの生産コストをできるだけ抑えて提供することができる。
【符号の説明】
【００５５】
α  接合領域、β  非接合領域（弱接合領域）、１  袋本体、１ａ  一端側、１ｂ  他端側、２  化粧紙、２ａ  端部、３  カットテープ、４  充填口（筒状弁）、５  折封部、１０  粉体包装用袋、１１  正面、１２  左側面、１３  背面、１４  右側面、１５  開封側底面、１６  充填側底面、２１  折返し部、３１  摘まみ部。
【図１】
2019189252.tif 000003
【図２】
2019189252.tif 000004
【図３】
2019189252.tif 000005
【図４】
2019189252.tif 000006
【図５】
2019189252.tif 000007
【図６】
2019189252.tif 000008
【図７】
2019189252.tif 000009
【図８】
2019189252.tif 000010
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
筒状をした袋本体における一端側の開口端部を折り込むことにより形成した折封部に化粧紙を貼着して形成した開封側底面を備える袋体であって、
前記開封側底面は、正面もしくは背面にそれぞれ連続する二つの長辺と、右側面もしくは左側面にそれぞれ連続する二つの短辺とを有する細長矩形状をし、
前記化粧紙は、前記開封側底面の短辺の長さよりも大きく形成されると共に、前記開封側底面の長辺の長さと等しい大きさに形成され、前記折封部の上面に連続して一体的に袋体の正面及び／又は背面の一部を覆うが、袋体の右側面や左側面の一部を覆わないように貼着されている、
ことを特徴とする粉体包装用袋。
【請求項２】
前記化粧紙は、前記折封部が正面に連続する開口端部を最後に折り込むことにより形成したものである場合、前記折封部の上面に連続して袋体の背面の一部を一体的に覆うが、袋体の右側面や左側面の一部を覆わないように貼着され、前記折封部が背面に連続する開口端部を最後に折り込むことにより形成したものである場合、前記折封部の上面に連続して袋体の正面の一部を一体的に覆うが、袋体の右側面や左側面の一部を覆わないように貼着されている、
ことを特徴とする請求項１に記載の粉体包装用袋。
【請求項３】
前記化粧紙を破断するのに十分な強度を有する帯状をしたカットテープが、前記化粧紙の長手方向に沿ってその内面に装着されていることを特徴とする請求項１又は２に記載の粉体包装用袋。
【請求項４】
前記カットテープに沿って所定幅で、前記化粧紙の内面と前記折封部の上面とが接着されていない非接合領域、もしくは前記化粧紙の内面の前記折封部の上面に対する接着力が他の領域に比べて小さい弱接合領域が設けられていることを特徴とする請求項３に記載の粉体包装用袋。
【請求項５】
前記袋本体の内部に、別途袋体を備える二重包装袋体構造であることを特徴とする請求項１乃至４の何れか１項に記載の粉体包装用袋。
【手続補正２】
【補正対象書類名】明細書
【補正対象項目名】００１３
【補正方法】変更
【補正の内容】
【００１３】
本発明の粉体包装用袋は、筒状をした袋本体における一端側の開口端部を折り込むことにより形成した折封部に化粧紙を貼着して形成した開封側底面を備える袋体であって、  前記開封側底面は、正面もしくは背面にそれぞれ連続する二つの長辺と、右側面もしくは左側面にそれぞれ連続する二つの短辺とを有する細長矩形状をし、前記化粧紙は、前記開封側底面の短辺の長さよりも大きく形成されると共に、前記開封側底面の長辺の長さと等しい大きさに形成され、前記折封部の上面に連続して一体的に袋体の正面及び／又は背面の一部を覆うが、袋体の右側面や左側面の一部を覆わないように貼着されていることを特徴とする。
【手続補正３】
【補正対象書類名】明細書
【補正対象項目名】００１４
【補正方法】変更
【補正の内容】
【００１４】
本発明において化粧紙は、折封部が正面に連続する開口端部を最後に折り込むことにより形成したものである場合、折封部の上面に連続して袋体の背面の一部を一体的に覆うが、袋体の右側面や左側面の一部を覆わないように貼着されたものとしても良く、また、折封部が背面に連続する開口端部を最後に折り込むことにより形成したものである場合、折封部の上面に連続して袋体の正面の一部を一体的に覆うが、袋体の右側面や左側面の一部を覆わないように貼着されたものとしても良い。
【手続補正４】
【補正対象書類名】明細書
【補正対象項目名】００１６
【補正方法】変更
【補正の内容】
【００１６】
また、本発明においてカットテープが内面に装着された化粧紙を折封部の上面に貼着する場合、カットテープに沿って所定幅で、化粧紙が折封部の上面に接着されていない（すなわち、化粧紙の内面と折封部の上面とが接着されていない）非接合領域、もしくは化粧紙の折封部の内面の上面に対する接着力が他の領域に比べて小さい弱接合領域が設けるものとすると望ましい。